(57)【要約】平坦部（３）と、平坦部（３）に形成された凹状の収納部（２）とを有するシート（１）であるキャリアテープ（１０）であって、収納部（２）の裏面の面積が収納部（２）の開口部の面積に対して９０％以上の大きさであることを特徴とするキャリアテープ。
2018008691.tif 000002
【特許請求の範囲】
【請求項１】
平坦部と、平坦部に形成された凹状の収納部とを有するシートであるキャリアテープであって、収納部の裏面の面積が収納部の開口部の面積に対して９０％以上の大きさであることを特徴とするキャリアテープ。
【請求項２】
収納部の開口周縁部の曲率半径が平坦部のシートの厚みの１／２以下であることを特徴とする請求項１に記載のキャリアテープ。
【請求項３】
収納部の底面を形成する部分のシートの厚さが、平坦部のシートの厚さよりも小さいことを特徴とする請求項１又は２に記載のキャリアテープ。
【請求項４】
収納部の底面を形成する部分のシートの厚さから、収納部の側部を形成する部分のシートの厚さを引いた差が、０．０５ｍｍよりも小さい値となることを特徴とする請求項１〜３のいずれか一項に記載のキャリアテープ。
【請求項５】
前記シートの裏側における、前記収納部の側部と平坦部との間に溝部を有することを特徴とする請求項１〜４のいずれか一項に記載のキャリアテープ。
【発明の詳細な説明】
【技術分野】
【０００１】
本発明は、キャリアテープに関する。本願は、２０１６年７月７日に、日本に出願された特願２０１６−１３５２９８号に基づき優先権を主張し、その内容をここに援用する。
【背景技術】
【０００２】
電子部品等を保管、輸送、装着する際には、電子部品等の製品を収納する凹状の収納部が一定間隔で設けられているキャリアテープが広く使用されている。
キャリアテープは、収納部に製品が収納された後、カバーテープでシールされ、各種サイズのリールに巻き取られて用いられる（特許文献１）。
収納部に製品が収納される前のキャリアテープは、リールに巻き取られた状態で存在する。このとき、巻き取られたキャリアテープは、キャリアテープ同士が重なった状態であるため、上側のキャリアテープの収納部が下側のキャリアテープの収納部と重なって嵌合し、下側のキャリアテープの収納部が押し広げられて変形してしまうという問題が生じていた。
【先行技術文献】
【特許文献】
【０００３】
【特許文献１】特開２０１１−２２５２５７号公報
【発明の概要】
【発明が解決しようとする課題】
【０００４】
本発明は、上記事情に鑑みてなされたものであって、リールに巻き取られたキャリアテープの収納部同士が嵌合しにくく、収納部の変形が抑制されたキャリアテープを提供することを目的とする。
【課題を解決するための手段】
【０００５】
上記の課題を解決するために、本発明は以下の構成を採用した。
［１］平坦部と、平坦部に形成された凹状の収納部とを有するシートであるキャリアテープであって、収納部の裏面の面積が収納部の開口部の面積に対して９０％以上の大きさであることを特徴とするキャリアテープ。
［２］収納部の開口周縁部の曲率半径が平坦部のシートの厚みの１／２以下であることを特徴とする［１］に記載のキャリアテープ。
［３］収納部の底面を形成する部分のシートの厚さが、平坦部のシートの厚さよりも小さいことを特徴とする［１］又は［２］に記載のキャリアテープ。
［４］収納部の底面を形成する部分のシートの厚さから、収納部の側部を形成する部分のシートの厚さを引いた差が、０．０５ｍｍよりも小さい値となることを特徴とする［１］〜［３］のいずれか一つに記載のキャリアテープ。
［５］前記シートの裏側における、前記収納部の側部と平坦部との間に溝部を有することを特徴とする［１］〜［４］のいずれか一つに記載のキャリアテープ。
【発明の効果】
【０００６】
本発明のキャリアテープは、リールに巻き取られたキャリアテープの収納部同士が嵌合しにくく、収納部の変形が抑制されている。
【図面の簡単な説明】
【０００７】
【図１Ａ】本発明の第一実施形態にかかるキャリアテープの平面図である。
【図１Ｂ】図１ＡにおけるＸ１−Ｘ１断面図である。
【図１Ｃ】図１ＡにおけるＹ１−Ｙ１断面図である。
【図２Ａ】本発明の第二実施形態にかかるキャリアテープの平面図である。
【図２Ｂ】図２ＡにおけるＸ２−Ｘ２断面図である。
【図２Ｃ】図２ＡにおけるＹ２−Ｙ２断面図である。
【図３Ａ】本発明の第一実施形態にかかるキャリアテープの製造装置の一例を示す部分断面図である。
【図３Ｂ】図３Ａの製造装置の第二の金型の平面図である。
【図４Ａ】収納部底部を押し込む前の本発明のキャリアテープの一例である。
【図４Ｂ】本発明のキャリアテープの一例である。
【図５Ａ】本発明の第二実施形態にかかるキャリアテープの製造装置の一例を示す部分断面図である。
【図５Ｂ】図５Ａの製造装置の第二の金型の平面図である。
【図５Ｃ】図５ＢにおけるＸ３−Ｘ３断面図である。
【図５Ｄ】図５ＢにおけるＹ３−Ｙ３断面図である。
【発明を実施するための形態】
【０００８】
（キャリアテープ）
本発明のキャリアテープの第一実施形態について、以下に図面を参照して説明する。
図１Ａ〜図１Ｃに示すように、キャリアテープ１０は、長尺状のシート１の一方の面（表側の面ともいう）に開口する複数の凹状の収納部２を有する。シート１には、複数の収納部２がシート１の長さ方向に離間して並設される。図示しないが、複数の収納部２はシート１の長さ方向に加えて、幅方向にも離間して並設されていてもよい。また、シート１には、収納部２とシート１の側縁との間に、複数のスプロケットホール（送り穴）４が、シート１の長さ方向に離間して並設されている。シート１において、収納部２を形成する部位及びスプロケットホール４以外の部分を、平坦部３という。平坦部３の表側の面及び裏面は平面である。
【０００９】
キャリアテープ１０を形成するシート１の長さとしては、例えば、１ｍ以上４，０００ｍ以下とすることができる。シート１の幅としては、例えば、４ｍｍ以上１２ｍｍ以下とすることができる。シート１の長さ方向と幅方向は直交している。
シート１の長さ方向に離間して並設された隣り合う収納部２の間隔としては、例えば０．１ｍｍ以上８ｍｍ以下とすることができる。隣り合うスプロケットホール４の間隔としては、例えば２ｍｍ以上４ｍｍ以下とすることができる。
【００１０】
収納部２は、シート１の表側の面側に開口する凹状の窪みである。収納部２は、底部がシート１の他方の面（裏面ともいう）に膨出している。
収納部２の底部を構成するシート１の部分の裏面を外底面６といい、収納部２の側部を構成するシート１の部分の裏面を外側面７という。外側面７は、平坦部３を構成する部分のシート１の裏面に隣接する曲面と、外底面６に隣接する曲面とを含む。外底面６は平面である。
収納部２の裏面の面積（以下、裏底面面積Ａともいう）とは、外底面６の面積をいう。裏底面面積Ａは、外底面６の幅Ｗ１と、外底面６の長さＬ１との積である。ここで、外底面６の幅Ｗ１はシート１の長手方向に沿う長さであり、外底面６の長さＬ１はシート１の幅方向に沿う長さである。
収納部２の底部を構成するシート１の部分の表側の面を内底面８といい、収納部２の側部を構成するシート１の部分の表側の面を内側面９という。内側面９は、平坦部３を構成する部分のシート１の表側の面に隣接する曲面と、内底面８に隣接する曲面とを含む。内底面８は平面である。
シート１の裏面における収納部２の外側面７が立ち上がる部分を外周縁１１という。
【００１１】
内側面９の、平坦部３を構成する部分のシート１の表側の平面に隣接する曲面を、開口周縁部５という。開口周縁部５と内側面９の中央側の平面との境界線５ａで囲まれる面を開口面という。収納部２の開口面の面積を、収納部２の開口部の面積（以下、開口面積Ｂ）ともいう。開口面積Ｂは、開口面の幅Ｗ２と、開口面の長さＬ２との積である。開口面は、シート１の幅方向を長手、シート１の長さ方向を短手とする平面視略矩形である。開口面の幅Ｗ２はシート１の長手方向に沿う長さであり、開口面の長さＬ２はシート１の幅方向に沿う長さである。
【００１２】
本発明のキャリアテープは、収納部２の裏面の面積が開口部の面積に対して９０％以上の大きさであることを特徴とする。裏底面面積Ａ／開口面積Ｂ、すなわち開口面積Ｂに対する裏底面面積Ａの大きさの割合は、９０〜１１０％であることが好ましく、９７〜１０３％であることがより好ましい。
裏底面面積Ａ／開口面積Ｂが上記範囲内にあることにより、キャリアテープ１０がリールに巻き取られた場合に収納部２同士が嵌合しにくく（すなわち、上下に重なった２つの収納部２のうち、上の収納部２の外底面６が下の収納部２の開口部に嵌合しにくく）することができる。
【００１３】
本実施形態のキャリアテープ１０は、開口周縁部５の曲率半径Ｒが平坦部３のシート１の厚みの１／２以下であることが好ましく、平坦部３のシート１の厚みの１／４以下であることがより好ましい。開口周縁部５の曲率半径Ｒが上記範囲内にあることにより、キャリアテープ１０がリールに巻き取られた場合に収納部２同士が嵌合しにくくすることができる。
【００１４】
本実施形態のキャリアテープ１０は、収納部２の底面を形成する部分のシートの厚さ（以下、底部厚さともいう）が、平坦部３のシート１の厚さ（以下、平坦部厚さともいう）よりも小さいものであることが好ましい。平坦部厚さから底部厚さを引いた差、すなわち（平坦部の厚さ−底部の厚さ）は、０．０５ｍｍ以上であることが好ましく、０．１０ｍｍ以上であることがより好ましく、０．１５ｍｍ以上であることがさらに好ましい。前記（平坦部の厚さ−底部の厚さ）の上限値としては、０．４０ｍｍ以下が好ましく、０．３０ｍｍ以下がより好ましい。
平坦部厚さを基準としたときの底部厚さとの差（平坦部の厚さ−底部の厚さ）が、上記範囲内にあることにより、後の製造方法に記載するように収納部２の裏底面面積Ａを大きくすることができるため、キャリアテープ１０がリールに巻き取られた場合に収納部２同士が嵌合しにくくすることができる。
【００１５】
本実施形態のキャリアテープ１０は、収納部２の側部を形成する部分のシートの厚さ（以下、側部厚さともいう）が、底部厚さと比較したときに極端に薄くならないことが好ましい。底部厚さから側部厚さを引いた差、すなわち（底部厚さ−側部厚さ）は、０．０５ｍｍよりも小さい値となることが好ましく、０ｍｍ以下（すなわち側部厚さが底部厚さと同じ厚さ又は底部厚さより厚いこと）がより好ましく、−０．０５ｍｍより小さい（すなわち側部厚さが底部厚さより０．０５ｍｍを超えて厚い）ことが更に好ましい。
（底部厚さ−側部厚さ）が上記範囲内にあることにより、後の製造方法に記載するように開口周縁部５の曲率半径Ｒを小さくすることができるため、キャリアテープ１０がリールに巻き取られた場合に収納部２同士が嵌合しにくくすることができる。
（底部厚さ−側部厚さ）の下限値としては、例えば、−０．３０ｍｍ程度が挙げられる。
【００１６】
本発明のキャリアテープの第二実施形態について、以下に図面を参照して説明する。
図２Ａ〜図２Ｃに示すように、キャリアテープ２０は、溝部１２を有すること以外はキャリアテープ１０と同様である。溝部１２は、シート１の裏側において、収納部２の側部と平坦部３との間に存在する窪みである。溝部１２は、２つの第一の溝部１２ａと、２つの第二の溝部１２ｂとをいう。
第一の溝部１２ａは、シート１の裏面の収納部２の外周縁１１（即ちシート１における収納部２の外側面７が立ち上がる部分）に、シート１の幅方向に延びている。２つの第一の溝部１２ａは、収納部２を挟んで互いに対向するように形成されている。第二の溝部１２ｂは、収納部２の外周縁１１に、シート１の長さ方向に延びている。２つの第二の溝部１２ｂは、収納部２を挟んで互いに対向するように形成されている。第一の溝部１２ａと第二の溝部１２ｂとは、収納部２の外周縁１１の角部において、つながっていてもよく、離間していてもよい。
シート１の裏面から見て外周縁１１に沿う溝部１２を有することにより、後の製造方法に記載するように開口周縁部５の曲率半径Ｒを小さくすることができる。このため、キャリアテープ２０がリールに巻き取られた場合に収納部２同士が嵌合しにくくすることができる。
【００１７】
対向する２つの第一の溝部１２ａの長さＬ１０は互いに同じであることが好ましい。２つの長さＬ１０が異なる場合、これらの長さの比は０．９〜１．１であることが好ましい。対向する２つの第二の溝部１２ｂの長さＬ２０は互いに同じであることが好ましい。２つの長さＬ２０が異なる場合、これらの長さの比は０．９〜１．１であることが好ましい。
シート１の裏面から平面視した各溝部１２の長さは、各溝部１２の長さ方向に沿う各外周縁１１の長さを１００％としたとき、５０％以上１２０％以下が好ましく、６０％以上１１０％以下がより好ましく、７０％以上１００％以下がさらに好ましい。第一の溝部１２ａと第二の溝部１２ｂが重なる領域がある場合、その重なる領域は各々の溝部１２の長さに含まれる。
【００１８】
以上で説明したキャリアテープ１０，２０における収納部２の大きさは、収納部２をシート１の裏面から平面視した形状が略矩形である場合、外周縁１１の長さと幅で決定される。本発明の効果がより一層発揮される観点から、収納部２は下記の大きさであることが好ましい。
シート１の長手方向（即ちキャリアテープ２０の長手方向）に沿う外周縁１１の長さは、０．２０ｍｍ以上２．００ｍｍ以下が好ましい。
シート１の幅方向（即ちキャリアテープ２０の幅方向）に沿う外周縁１１の長さは、０．５０ｍｍ以上３．００ｍｍ以下が好ましい。
シート１の長手方向に沿う外周縁１１の長さは、シート１の幅方向に沿う外周縁１１の長さよりも短いことが好ましい。
具体的な収納部２の大きさとしては、例えば、シート１の幅方向に沿う外周縁１１の長さが０．３０ｍｍ以上０．６０ｍｍ以下であり、且つ、シート１の長手方向に沿う外周縁１１の長さが０．１５ｍｍ以上０．４５ｍｍ未満である大きさが挙げられる。
【００１９】
本発明のキャリアテープの平坦部のシートの厚さは、マイクロゲージを用いて、５箇所の平坦部のシートの厚さを測定し、平均した値である。
以下、マイクロスコープを用いて観察したキャリアテープの断面、及び光学顕微鏡測定機を用いて測定した部位を含むキャリアテープの断面は、収納部の開口部の中央付近を含む断面とする。
収納部の底面を形成する部分のシートの厚さは、マイクロスコープを用いて観察した前記断面において収納部の底面の中央付近の厚さを、任意の５つの収納部について測定し、平均した値である。収納部の側部を形成する部分のシートの厚さは、マイクロスコープを用いて観察した前記断面において収納部の任意の側部の中央付近の厚さを、任意の５つの収納部について測定し、平均した値である。
【００２０】
本発明のキャリアテープの収納部の外底面の幅（図１ＢのＷ１参照）は、光学顕微鏡測定機を用いて拡大倍率１００倍に設定して、外底面の中央の平坦部（外側面７につながる湾曲部を除く）の長さ（キャリアテープの長手方向に沿う長さ）を、任意の５つの収納部について測定し、平均した値である。同様に、外底面の長さ（図１ＣのＬ１参照）は、外底面の中央の平坦部の長さ（キャリアテープの幅方向に沿う長さ）を、任意の５つの収納部について測定し、平均した値である。
【００２１】
本発明のキャリアテープの収納部における開口面の幅（図１ＢのＷ２参照）は、光学顕微鏡測定機を用いて拡大倍率１００倍に設定して、キャリアテープの長手方向における開口面の中央の長さ（図１Ｂの５ａ〜５ａの差し渡しの長さ）を、任意の５つの収納部について測定し、平均した値を開口面の幅とする。ここで、図１Ｂの５ａは、内側面９と湾曲した開口周縁部５の境界上にある。
同様に、収納部における開口面の長さ（図１ＣのＬ２参照）は、光学顕微鏡測定機を用いて拡大倍率１００倍に設定して、キャリアテープの幅方向における開口面の中央の長さ（図１Ｃの５ａ〜５ａの差し渡しの長さ）を、任意の５つの収納部について測定し、平均した値を開口面の長さとする。ここで、図１Ｃの５ａは、内側面９と湾曲した開口周縁部５の境界上にある。
【００２２】
本発明のキャリアテープの収納部における開口周縁部の曲率半径（図１ＢのＲ参照）は、次のように求められる。まず、分解能１μｍ以下の画像計測が可能なマイクロスコープを用いて拡大倍率３００倍に設定して、キャリアテープの長手方向の断面における開口周縁部を観察する。次いで、その開口周縁部の輪郭（Ｒ線上）の任意の３点の座標から、曲率半径を算出する。本発明の開口周縁部の曲率半径は、任意の５つの収納部について求めた曲率半径の平均値である。
【００２３】
本発明のキャリアテープの溝部の長さは、キャリアテープの裏面から平面視した溝部を、光学顕微鏡測定機を用いて拡大倍率１００倍に設定して観察し、各溝部について任意の５つの溝部を測定し、平均した値である。本発明のキャリアテープに形成された収納部の各辺の長さは、キャリアテープの裏面から外周縁を、光学顕微鏡測定機を用いて拡大倍率１００倍に設定して観察して、各辺について任意の５つの辺の長さを測定し、平均した値である。
【００２４】
（キャリアテープの製造方法）
本発明のキャリアテープは、第一の金型と第二の金型とで、シートを挟圧し、収納部を形成することによって製造することができる。
本発明の第一実施形態のキャリアテープの製造方法の一例について、図３Ａ〜図３Ｂの製造装置１００を用いて製造を行う場合を説明する。
図３Ａ〜図３Ｂにおいて、製造装置１００は第一の金型１１０と第二の金型１２０とを有する。まず、第一の金型１１０の挟圧面１１１と第二の金型１２０の挟圧面１２１とが、図３Ａに示すように対向離間した状態で、第一の金型１１０と第二の金型１２０とを配置する。挟圧面１１１と挟圧面１２１との間に、任意の温度に加熱され軟化したシート１を送り込む。
次いで、ドローパンチ１１２をパンチ受入孔１２２に挿入するようにパンチ孔１１３から突出させる。突出されたドローパンチ１１２は、そのパンチ端面１１４をシート１に押し当てた状態で、シート１をパンチ受入孔１２２に押し込む。押し込まれたシート１は、パンチ受入孔１２２内で延伸されて、収納部２が形成される。
得られたシート１は、図４Ａのように収納部２の底部厚さと平坦部厚さとが略同じものである。ここで、収納部２の底部を形成するシートの部分を上方に押しこむことによって、図４Ｂのように収納部２の裏面が広くなり、裏底面面積が開口面積に対して９０％以上のキャリアテープが得られる。またこの際、底部厚さが平坦部厚さよりも小さいキャリアテープが得られる。また、（底部厚さ−側部厚さ）が０．０５ｍｍより小さいキャリアテープが得られる。この結果、収納部２の開口周縁部５の曲率半径Ｒが小さくなる。
【００２５】
図４Ａのシート１の外底面６をパンチ受入孔１２２内において上方に押し込む方法としては、例えば、次の方法が挙げられる。形成された収納部２内にドローパンチ１１２が在り、ドローパンチ１１２が収納部２の内底面８を押している状態において、パンチ受入孔１２２の底面をシート１の外底面６に押し上げる方法が挙げられる。このように、シート１の収納部２の底面をドローパンチ１１２とパンチ受入孔１２２の底面で挟み、収納部２の底面を平坦化することによって、底部厚さ、側部厚さ、開口周縁部の曲率半径を調整することができる。
【００２６】
本発明の第二実施形態のキャリアテープの製造方法の一例について、図５Ａ〜図５Ｄの製造装置２００を用いて製造を行う場合を説明する。
図５Ａにおいて、製造装置２００は第一の金型１１０と第二の金型２２０とを有する。本発明の第二実施形態のキャリアテープの製造方法は、図３の第二の金型１２０の代わりに、凸部（リブともいう）を有する第二の金型２２０を用いること以外は、第一実施形態のキャリアテープの製造方法と同様である。
第二の金型１２０は、第一のリブ２２３と第二のリブ２２４とを有する。ドローパンチ１１２を突出させることにより、シート１をパンチ受入孔２２２に押し込む際、挟圧面２２１に形成された第一のリブ２２３がシート１を圧縮することで第一の溝部１２ａが形成され、第二のリブ２２４がシート１を圧縮することで第二の溝部１２ｂが形成される。この際、シート１は、第一のリブ２２３及び第二のリブ２２４で強固に挟持されているため、シート１がパンチ受入孔２２２に向かってずれたりせず、十分に延伸される。この結果、収納部２の開口周縁部５の曲率半径Ｒが小さくなる。
【００２７】
以上で説明した製造方法に適用可能なシート１を構成する高分子材料としては、従来のプレス加工に用いられる樹脂シートの高分子材料が適用でき、例えば、ポリエチレンテレフタレート、ポリスチレン、ポリプロピレン、ポリカーボネート、ポリイミド、ポリエーテルイミド等が挙げられる。なかでも、高分子の全モノマー構成単位に対するスチレンのモノマー単位の含有量が５０モル％以上１００モル％以下であるポリスチレン系樹脂が好ましい。スチレンモノマー以外のモノマーとしては、スチレンと共重合可能な公知のモノマーが適用可能である。
【実施例】
【００２８】
以下、実施例によって本発明を詳細に説明するが、本発明は以下の記載によっては限定されない。
（収納部の変形評価）
リールに巻き取られた際に、キャリアテープの収納部同士が嵌合しにくく、収納部の変形が抑制されているかについて、下記の収納部変形率を指標として評価した。
キャリアテープをリールに巻き取り、巻き取り前の開口面積Ｂと巻き取り後の開口面積Ｂ’から収納部変形率を以下の式により算出した。この際、巻き取り後の開口面積Ｂ’は、巻き取り後のキャリアテープをリールから繰り出して、前述した方法により測定した。
収納部変形率（％）＝［（開口面積Ｂ’−開口面積Ｂ）／開口面積Ｂ］×１００
算出した収納部変形率は、その絶対値が０％に近いほど、収納部同士が嵌合しにくく、変形が少なかったことを示す。【００２９】
図３Ａ〜図３Ｂの製造装置１００と同様の金型を用い、厚み０．２ｍｍのポリスチレン系樹脂シートに収納部を設けた。収納部の底部を押し込むことにより、図１Ａ〜図１Ｃに示すキャリアテープ１０と同様のキャリアテープとした。形成した収納部２の形状の詳細を表１に示す。
第二の金型は、図３Ａ〜図３Ｂに示すものと同様とし、下記の仕様とした。
ドローパンチのパンチ端面：長手０．４ｍｍ、短手０．２ｍｍ
受入孔開口部：長手０．５ｍｍ、短手０．３ｍｍ
押出深さ：０．３ｍｍ
得られたキャリアテープをリールに巻き取り、巻き取り前後の収納部の変形評価を行った。結果を表１に示す。【００３０】
【表１】
2018008691.tif 000003
【００３１】
［実施例２〜９、比較例１〜３］
用いるシートの厚み及び／又は底部の厚さを変更した以外は、実施例１と同様にして表１に記載のキャリアテープを得た。収納部の形状の詳細及び収納部の変形率を算出した結果を表１，２に示す。【００３２】
［実施例１０］
図５Ａ〜図５Ｄの製造装置２００と同様の金型を用い、厚み０．２ｍｍのポリスチレン系樹脂シートに収納部を設けた。収納部の底部を押し込むことにより、図２Ａ〜図２Ｃに示すキャリアテープ２０と同様のキャリアテープとした。収納部の形状の詳細を表２に示す。
第二の金型は、図５Ａ〜図５Ｄに示すものと同様とし、下記の仕様とした。
ドローパンチのパンチ端面：長手０．４ｍｍ、短手０．２ｍｍ
受入孔開口部：長手０．５ｍｍ、短手０．３ｍｍ
押出深さ：０．３ｍｍ
第一のリブの長さｌ１:０．２７ｍｍ
第一のリブの幅ｗ１：０．１ｍｍ
第一のリブの高さｈ１：０．１ｍｍ
第二のリブの長さｌ２：０．１３ｍｍ
第二のリブの幅ｗ２：０．１ｍｍ
第二のリブの高さｈ２：０．１ｍｍ
得られたキャリアテープをリールに巻き取り、巻き取り前後の収納部の変形評価を行った。結果を表１に示す。【００３３】
【表２】
2018008691.tif 000004
【００３４】
［実施例１１〜１８、比較例４〜６］
用いるシートの厚み及び／又は底部の厚さを変更した以外は、実施例１０と同様にして表１，２に記載のキャリアテープを得た。収納部の形状の詳細及び収納部の変形率を算出した結果を表１，２に示す。【００３５】
実施例１〜１８で確認されたように、裏底面面積Ａが開口面積Ｂに対して９０％以上の大きさである場合に、収納部の変形率が低くなった。実施例１〜１８で確認されたように、開口周縁部曲率半径が平坦部のシートの厚みの１／２以下である場合に、収納部の変形率が低くなった。また、実施例１〜１８で確認されたように、底部厚さが平坦部厚さより小さい場合に、収納部の変形率が低くなった。実施例１〜１８で確認されたように、底部厚さから側部厚さを引いた差が０．０５ｍｍよりも小さい値となる場合に、収納部変形率が低くなった。
【産業上の利用可能性】
【００３６】
本発明のキャリアテープは、リールに巻き取られたキャリアテープの収納部同士が嵌合しにくく、収納部の変形が抑制されたキャリアテープである。したがって、本発明のキャリアテープは、電子部品を適性に出し入れ、収納でき、好適に利用できる。
【符号の説明】
【００３７】
１０      キャリテープ
２０      キャリテープ
１        シート
２        収納部
３        平坦部
４        スプロケットホール
５        開口周縁部
５ａ      境界線
６        外底面
７        外側面
８        内底面
９        内側面
１１      外周縁
１２      溝部
１２ａ    第一の溝部
１２ｂ    第二の溝部
１００    製造装置
１１０    第一の金型
１１１    挟圧面
１１２    ドローパンチ
１１３    パンチ孔
１１４    パンチ端面
１２０    第二の金型
１２１    挟圧面
１２２    パンチ受入孔
２００    製造装置
２２０    第二の金型
２２１    挟圧面
２２２    パンチ受入孔
２２３    第一のリブ
２２４    第二のリブ
【図１Ａ】
2018008691.tif 000005
【図１Ｂ】
2018008691.tif 000006
【図１Ｃ】
2018008691.tif 000007
【図２Ａ】
2018008691.tif 000008
【図２Ｂ】
2018008691.tif 000009
【図２Ｃ】
2018008691.tif 000010
【図３Ａ】
2018008691.tif 000011
【図３Ｂ】
2018008691.tif 000012
【図４Ａ】
2018008691.tif 000013
【図４Ｂ】
2018008691.tif 000014
【図５Ａ】
2018008691.tif 000015
【図５Ｂ】
2018008691.tif 000016
【図５Ｃ】
2018008691.tif 000017
【図５Ｄ】
2018008691.tif 000018
【手続補正書】
【提出日】平成29年12月28日(2017.12.28)
【手続補正１】
【補正対象書類名】特許請求の範囲
【補正対象項目名】全文
【補正方法】変更
【補正の内容】
【特許請求の範囲】
【請求項１】
平坦部と、平坦部に形成された凹状の収納部とを有するシートであるキャリアテープであって、収納部の裏面の面積が収納部の開口部の面積に対して９０％以上９９．９％以下の大きさであることを特徴とするキャリアテープ。
【請求項２】
収納部の開口周縁部の曲率半径が平坦部のシートの厚みの１／４以下であることを特徴とする請求項１に記載のキャリアテープ。
【請求項３】
収納部の底面を形成する部分のシートの厚さが、平坦部のシートの厚さよりも小さく、
前記平坦部のシートの厚さから、前記収納部の底面を形成する部分のシートの厚さを引いた差が、０．０５ｍｍ以上０．４０ｍｍ以下であることを特徴とする請求項１又は２に記載のキャリアテープ。
【請求項４】
収納部の底面を形成する部分のシートの厚さから、収納部の側部を形成する部分のシートの厚さを引いた差が、−０．３０ｍｍ以上−０．０５ｍｍ未満であることを特徴とする請求項１〜３のいずれか一項に記載のキャリアテープ。
【請求項５】
前記シートの裏側における、前記収納部の側部と平坦部との間に溝部を有することを特徴とする請求項１〜４のいずれか一項に記載のキャリアテープ。
【手続補正２】
【補正対象書類名】明細書
【補正対象項目名】００３１
【補正方法】変更
【補正の内容】
【００３１】
［実施例２〜９、比較例１〜３］
用いるシートの厚み及び／又は底部の厚さを変更した以外は、実施例１と同様にして表１に記載のキャリアテープを得た。収納部の形状の詳細及び収納部の変形率を算出した結果を表１，２に示す。
次に示す実施例１０、実施例１３及び実施例１８は、比較例である。
【手続補正書】
【提出日】平成30年5月25日(2018.5.25)
【手続補正１】
【補正対象書類名】特許請求の範囲
【補正対象項目名】全文
【補正方法】変更
【補正の内容】
【特許請求の範囲】
【請求項１】
平坦部と、前記平坦部に形成された凹状の収納部とを有するシートであるキャリアテープであって、前記収納部の裏面の面積が前記収納部の開口部の面積に対して９０．４％以上９９．９％以下の大きさであることを特徴とするキャリアテープ。
【請求項２】
前記収納部の開口周縁部の曲率半径が前記平坦部のシートの厚みの１／４以下であることを特徴とする請求項１に記載のキャリアテープ。
【請求項３】
前記収納部の底面を形成する部分のシートの厚さが、前記平坦部のシートの厚さよりも小さく、前記平坦部のシートの厚さから、前記収納部の底面を形成する部分のシートの厚さを引いた差が、０．０５ｍｍ以上０．４０ｍｍ以下であることを特徴とする請求項１又は２に記載のキャリアテープ。
【請求項４】
前記収納部の底面を形成する部分のシートの厚さから、前記収納部の側部を形成する部分のシートの厚さを引いた差が、−０．３０ｍｍ以上−０．０５ｍｍ未満であることを特徴とする請求項１〜３のいずれか一項に記載のキャリアテープ。
【請求項５】
前記シートの裏側における、前記収納部の側部と前記平坦部との間に溝部を有することを特徴とする請求項１〜４のいずれか一項に記載のキャリアテープ。
【国際調査報告】
2018008691.tif 000019
2018008691.tif 000020
2018008691.tif 000021
2018008691.tif 000022